(57)【要約】【課題】地紋データの再現性を維持しながらデータの送信時間・ネットワーク付加・記憶装置の使用容量の軽減を可能とする方法を提供する。【解決手段】本方法は、画像データに含まれる地紋を判別する地紋判別ステップと、画像データの解像度を変換する解像度変換ステップを含む。解像度変換ステップは、地紋判別ステップにより判別された地紋データに対する第１の処理と、地紋データを除く画像データに対する第２の処理とを行う。第１の処理は、判別した地紋データを解像度変換することによって地紋の機能が損なわれる場合には、判別した地紋データを解像度変換しない。【選択図】図１２
2008042403.tif 000002
【特許請求の範囲】
【請求項１】
画像データに含まれる地紋データを判別する地紋判別手段と、
前記画像データの解像度を変換する解像度変換手段を備え、
前記解像度変換手段は、前記地紋判別手段により判別された地紋データに対する第１の処理と、地紋データを除く画像データに対する第２の処理とを行うことを特徴とする画像処理装置。
【請求項２】
前記地紋判別手段は、地紋が繰り返しパターンか否かを判別し、繰り返しパターンである場合には繰り返しパターン中から１パターンを抜き出して処理することを特徴とする請求項１に記載の画像処理装置。
【請求項３】
前記第１の処理は、判別した地紋データを解像度変換しないことを含むことを特徴とする請求項１に記載の画像処理装置。
【請求項４】
前記第１の処理は、判別した地紋データを解像度変換することによって地紋の機能が損なわれる場合には、判別した地紋データを解像度変換しないことを特徴とする請求項１に記載の画像処理装置。
【請求項５】
前記第１の処理は、判別した地紋データを解像度変換することを含み、前記第２の処理は、地紋データを除く画像データを解像度変換することを含み、前記第１の処理による変換後の解像度は、前記第２の処理による変換後の解像度とは異なることを特徴とする請求項１に記載の画像処理装置。
【請求項６】
前記第１の処理が行われた地紋データと、前記第２の処理が行われた地紋データを除く画像データとを関連付ける手段を更に備えることを特徴とする請求項１に記載の画像処理装置。
【請求項７】
画像データに含まれる地紋を判別する地紋判別ステップと、
前記画像データの解像度を変換する解像度変換ステップを含み、
前記解像度変換ステップは、前記地紋判別ステップにより判別された地紋データに対する第１の処理と、地紋データを除く画像データに対する第２の処理とを行うことを特徴とする画像処理方法。
【請求項８】
前記地紋判別ステップは、地紋が繰り返しパターンか否かを判別し、繰り返しパターンである場合には繰り返しパターン中から１パターンを抜き出して処理することを特徴とする請求項７に記載の画像処理方法。
【請求項９】
前記第１の処理は、判別した地紋データを解像度変換しないことを含むことを特徴とする請求項７に記載の画像処理方法。
【請求項１０】
前記第１の処理は、判別した地紋データを解像度変換することによって地紋の機能が損なわれる場合には、判別した地紋データを解像度変換しないことを特徴とする請求項７に記載の画像処理方法。
【請求項１１】
前記第１の処理は、判別した地紋データを解像度変換することを含み、前記第２の処理は、地紋データを除く画像データを解像度変換することを含み、前記第１の処理による変換後の解像度は、前記第２の処理による変換後の解像度とは異なることを特徴とする請求項７に記載の画像処理方法。
【請求項１２】
前記第１の処理が行われた地紋データと、前記第２の処理が行われた地紋データを除く画像データとを関連付けるステップを更に含むことを特徴とする請求項７に記載の画像処理方法。
【請求項１３】
ジョブの画像データを生成し、文書管理サーバに送信するデジタル複合機と、前記デジタル複合機から画像データを受信し、保存する前記文書管理サーバと、前記文書管理サーバに保存された画像データを検索、閲覧する文書管理クライアントを備えるネットワーク文書管理システムにおいて、
前記デジタル複合機又は前記文書管理サーバは、
前記画像データに含まれる地紋データを判別する地紋判別手段と、
前記画像データの解像度を変換する解像度変換手段を備え、
前記解像度変換手段は、前記地紋判別手段により判別された地紋データに対する第１の処理と、地紋データを除く画像データに対する第２の処理とを行うことを特徴とするネットワーク文書管理システム。
【請求項１４】
前記地紋判別手段は、地紋が繰り返しパターンか否かを判別し、繰り返しパターンである場合には繰り返しパターン中から１パターンを抜き出して処理することを特徴とする請求項１３に記載のネットワーク文書管理システム。
【請求項１５】
前記第１の処理は、判別した地紋データを解像度変換しないことを含むことを特徴とする請求項１３に記載のネットワーク文書管理システム。
【請求項１６】
前記第１の処理は、判別した地紋データを解像度変換することによって地紋の機能が損なわれる場合には、判別した地紋データを解像度変換しないことを特徴とする請求項１３に記載のネットワーク文書管理システム。
【請求項１７】
前記第１の処理は、判別した地紋データを解像度変換することを含み、前記第２の処理は、地紋データを除く画像データを解像度変換することを含み、前記第１の処理による変換後の解像度は、前記第２の処理による変換後の解像度とは異なることを特徴とする請求項１３に記載のネットワーク文書管理システム。
【請求項１８】
前記第１の処理が行われた地紋データと、前記第２の処理が行われた地紋データを除く画像データとを関連付ける手段を更に備えることを特徴とする請求項１３に記載のネットワーク文書管理システム。
【請求項１９】
ジョブの画像データを生成し、文書管理サーバに送信するデジタル複合機と、前記デジタル複合機から画像データを受信し、保存する前記文書管理サーバと、前記文書管理サーバに保存された画像データを検索、閲覧する文書管理クライアントを備えるネットワーク文書管理システムの制御方法において、
前記画像データに含まれる地紋を判別する地紋判別ステップと、
前記画像データの解像度を変換する解像度変換ステップと、
前記解像度変換ステップを実行する際、前記地紋判別ステップにより判別された地紋データをそれ以外のデータとは分離して処理する地紋処理ステップ
を含むことを特徴とするネットワーク文書管理システムの制御方法。
【請求項２０】
前記地紋処理ステップは、前記地紋判別手段により地紋の返しパターンかどうかを判別し、繰り返しパターンであった場合には繰り返しパターン中から１パターンだけを抜き出して処理することを特徴とする請求項１９に記載のネットワーク文書管理システムの制御方法。
【請求項２１】
前記地紋処理ステップは、前記地紋判別ステップにより判別した地紋データの解像度変換を実行しないことを特徴とする請求項１９に記載のネットワーク文書管理システムの制御方法。
【請求項２２】
前記地紋処理ステップは、前記判別した地紋データをそれ以外の画像データとは異なる解像度へ変換することを特徴とする請求項１９に記載のネットワーク文書管理システムの制御方法。
【請求項２３】
前記地紋処理ステップにおいて分離処理された地紋データとそれ以外の画像データを関連付けるステップを更に含むことを特徴とする請求項１９に記載のネットワーク文書管理システムの制御方法。
【請求項２４】
コンピュータに、画像データに含まれる地紋を判別する地紋判別手順と、前記画像データの解像度を変換する解像度変換手順を実行させるためのプログラムを記録したコンピュータ読み取り可能な記録媒体であって、
前記解像度変換手順は、前記地紋判別手順により判別された地紋データに対する第１の処理と、地紋データを除く画像データに対する第２の処理とを行うことを特徴とする記録媒体。
【請求項２５】
コンピュータに、画像データに含まれる地紋を判別する地紋判別手順と、前記画像データの解像度を変換する解像度変換手順を実行させるためのプログラムであって、
前記解像度変換手順は、前記地紋判別手順により判別された地紋データに対する第１の処理と、地紋データを除く画像データに対する第２の処理とを行うことを特徴とするプログラム。
【発明の詳細な説明】
【技術分野】
【０００１】
本発明は、地紋を含む画像データの解像度を変換するための画像処理装置及び方法等に関する。
【背景技術】
【０００２】
従来、文書管理サーバと文書管理クライアントとがネットワークを介して接続されたネットワーク文書管理システムが提案されている。文書管理サーバは、印刷された文字、図形、画像等をスキャナ装置等で読み込む等して作成した文書の画像データや、ワードプロセッサ等で作成した文書データなどの文書情報に、キーワード等の文書付加情報を関連付けて記憶する。文書クライアントは、これらの情報に対して検索、表示、印刷等を行う。
【０００３】
また、ネットワーク文書管理システムとして、情報漏洩の抑止と監査を目的としたものとして、デジタル複合機と、文書管理サーバと、文書クライアントとがネットワークを介して接続されたものも提案されている。デジタル複合機は、コピー・ジョブ、プリント・ジョブなどの各種ジョブの画像データとログ情報を生成し送信する。文書管理サーバは、デジタル複合機が送信したジョブの画像データとログ情報を文書として登録する。文書管理クライアントは、文書管理サーバにアクセスして、登録された文書を検索、閲覧する。
【０００４】
このようなネットワーク文書管理システムは、例えば図１４のように、文書管理クライアント１７００と、文書管理サーバ１７０１と、画像転送装置１７０６と、デジタル複合機１７０７とを備え、これらがネットワーク１７０８で接続されている。また、文書管理サーバ１７０１は、属性管理サーバ部１７０２と、属性データベースファイル１７０３と、ボリュームサーバ部１７０４と、ボリュームファイル１７０５とを備える。属性管理サーバ部１７０２は、画像データや文書データを、階層化されたフォルダに格納されている文書として管理する。そのため、ＲＤＢＭＳ（Ｒｅｌａｔｉｏｎａｌ  Ｄａｔａｂａｓｅ  Ｍａｎａｇｅｍｅｎｔ  Ｓｙｓｔｅｍ）で、フォルダ属性、文書属性、ページ属性などを属性データベースファイル１７０３内に記憶する。ＲＤＢＭＳは、フォルダ、文書、ページの包含関係とこれらの属性を管理するためのシステムである。ボリュームサーバ部１７０４は、属性管理サーバ部１７０１でページに対応付けられている実データを管理するためのサーバで、画像データ、文書データなどをボリュームファイル１７０５内に記憶する。文書管理クライアント１７００は、ネットワーク文書管理システムのクライアントであり、文書管理サーバ１７０１が管理する文書の検索や閲覧などを行う。この場合、文書管理クライアント１７００は、ＴＣＰ／ＩＰプロトコル上に定義されるＳＱＬ（Ｓｔｒｕｃｔｕｒｅｄ  Ｑｕｅｒｙ  Ｌａｎｇｕａｇｅ）プロトコルにより属性管理サーバ部１７０２に対して各種要求を送信する。文書管理クライアント１７００は、その要求に対する処理結果を属性管理サーバ部１７０２から受信する。文書クライアント１７００は、画像データや文書データに対する処理が発生した場合は、ＲＰＣ（Ｒｅｍｏｔｅ  Ｐｒｏｃｅｄｕｒｅ  Ｃａｌｌ）によりボリュームサーバ部１７０４に対して各種要求を送信する。そして、文書クライアント１７００は、その要求に対する処理結果をボリュームサーバ部１７０４から受信する。デジタル複合機１７０７は、コピー、スキャナ、プリンタ、ＦＡＸなどの複合機能をもつ画像形成装置である。デジタル複合機１７０７は、コピー・ジョブ、プリント・ジョブ等各種ジョブを実行すると、該ジョブのログ情報、スキャナから読み込んだ画像データ、プリンタで印刷した画像データをＦＴＰ等のネットワークプロトコルで画像転送装置１７０６に送信する。ログ情報は、デバイス名、ＩＰアドレスなどのデバイス情報と、ユーザ名、部門ＩＤなどのユーザ情報と、ジョブ名、開始／終了日時、ページ数、部数、ジョブの結果などのジョブ情報などから構成される。
【０００５】
画像転送装置１７０６は、ＦＴＰなどのネットワークプロトコルによりデジタル複合機１７０７からログ情報と画像データを受信する。画像転送装置１７０６は、受信したログ情報と画像データを予め設定されている格納先フォルダなどの登録設定に基づいて文書管理サーバ１７０１に文書として登録する。画像転送装置１７０６と文書管理サーバ１７０１との間の情報転送制御は、画像転送装置１７０６と文書管理クライアント１７００との間の情報転送制御と同様である。文書管理サーバ１７０１は、ログ情報を文書属性として属性管理サーバ部１７０２に保存し、画像データをボリュームサーバ部１７０４に保存する。
【０００６】
また、デジタル複合機１７０７で生成したジョブの画像データを画像転送装置１７０６に送信する際、データの送信時間、ネットワーク負荷、記憶装置の使用容量を軽減するために、元の画像よりも解像度を落としている。
【発明の開示】
【発明が解決しようとする課題】
【０００７】
しかしながら、デジタル複合機で生成したジョブの画像データに地紋が含まれていた場合、解像度を落として保存すると、地紋としての機能を損ない、文書サーバから画像データを取り出した際に地紋データを利用することが出来なかった。
【課題を解決するための手段】
【０００８】
上記課題を解決するため、本発明の画像処理装置は、画像データに含まれる地紋データを判別する地紋判別手段と、画像データの解像度を変換する解像度変換手段を備え、解像度変換手段は、地紋判別手段により判別された地紋データに対する第１の処理と、地紋データを除く画像データに対する第２の処理とを行うことを特徴とする。
【０００９】
また、本発明の画像処理方法は、画像データに含まれる地紋を判別する地紋判別ステップと、画像データの解像度を変換する解像度変換ステップを含み、解像度変換ステップは、地紋判別ステップにより判別された地紋データに対する第１の処理と、地紋データを除く画像データに対する第２の処理とを行うことを特徴とする。
【００１０】
また、本発明のネットワーク文書管理システムは、ジョブの画像データを生成し、文書管理サーバに送信するデジタル複合機と、デジタル複合機から画像データを受信し、保存する文書管理サーバと、文書管理サーバに保存された画像データを検索、閲覧する文書管理クライアントを備えるネットワーク文書管理システムにおいて、デジタル複合機又は文書管理サーバは、画像データに含まれる地紋データを判別する地紋判別手段と、画像データの解像度を変換する解像度変換手段を備え、解像度変換手段は、地紋判別手段により判別された地紋データに対する第１の処理と、地紋データを除く画像データに対する第２の処理とを行うことを特徴とする。
【００１１】
本発明のネットワーク文書管理システムの制御方法は、ジョブの画像データを生成し、文書管理サーバに送信するデジタル複合機と、デジタル複合機から画像データを受信し、保存する文書管理サーバと、文書管理サーバに保存された画像データを検索、閲覧する文書管理クライアントを備えるネットワーク文書管理システムの制御方法において、画像データに含まれる地紋を判別する地紋判別ステップと、画像データの解像度を変換する解像度変換ステップと、解像度変換ステップを実行する際、地紋判別ステップにより判別された地紋データをそれ以外のデータとは分離して処理する地紋処理ステップを含むことを特徴とする。
【００１２】
本発明の記録媒体は、コンピュータに、画像データに含まれる地紋を判別する地紋判別手順と、前記画像データの解像度を変換する解像度変換手順を実行させるためのプログラムを記録したコンピュータ読み取り可能な記録媒体であって、解像度変換手順は、地紋判別手順により判別された地紋データに対する第１の処理と、地紋データを除く画像データに対する第２の処理とを行うことを特徴とする。
【００１３】
本発明のプログラムは、コンピュータに、画像データに含まれる地紋を判別する地紋判別手順と、前記画像データの解像度を変換する解像度変換手順を実行させるためのプログラムであって、解像度変換手順は、地紋判別手順により判別された地紋データに対する第１の処理と、地紋データを除く画像データに対する第２の処理とを行うことを特徴とする。
【発明の効果】
【００１４】
以上説明したように、本発明のネットワーク文書管理システム、及びその制御方法によれば、デジタル複合機、或は文書管理サーバで、地紋データを含んだジョブの画像データを所定の解像度へ変換する際、地紋データをそれ以外の画像データとは別に処理する。すなわち、地紋データに対しては解像度変換を行わないか、又は地紋データとしての機能を失わずに再現可能な解像度変換を実行するか、地紋の繰り返しパターンを判別し、その中の１パターンのみを切り出して処理する。そのため、地紋データの再現性を維持しながらデータの送信時間・ネットワーク付加・記憶装置の使用容量の軽減が可能となる。
【発明を実施するための最良の形態】
【００１５】
図１は、本発明の実施例におけるネットワーク文書管理システムの全体の構成を説明するブロック図である。このネットワーク文書管理システムは、文書管理クライアント１００と、文書管理サーバ１１０と、デジタル複合機１３０とを備える。これらは、ネットワーク１４０を介して接続される。
【００１６】
文書管理クライアント１００は、文書管理サーバ１１０で管理される文書情報の検索や表示を行うネットワーク文書管理システムのクライアントである。文書管理クライアント１００は、ユーザインターフェース（ＵＩ）部１０１と、クライアント処理部１０２と、ネットワークＩ／Ｆ１０３を備える。
【００１７】
ユーザインターフェース（ＵＩ）部１０１は、ＣＲＴ、液晶等に代表される表示装置や、キーボードやポインティングデバイスなどの入力装置を備える。ユーザインターフェース（ＵＩ）部１０１は、文書情報の検索、表示など、文書管理クライアント１００の各機能に係るオペレータからの指示を受け付ける。そして、その処理結果などの各種情報をオペレータに提供する。
【００１８】
クライアント処理部１０２は、ＣＰＵやメモリ等を備え、文書情報の検索、表示など、文書管理クライアント１００の各機能の処理を行う。クライアント処理部１０２は、文書管理サーバ１１０に対する処理が発生した場合には、ネットワークＩ／Ｆ１０３を介して文書管理サーバ１１０に各種要求コマンドを送信し、その応答を受信する。
【００１９】
文書管理サーバ１１０は、デジタル複合機１３０から送信されたジョブのログ情報とコンテンツデータを管理するためのネットワーク文書管理システムのサーバである。文書管理サーバ１１０は、ネットワークＩ／Ｆ１１１と、属性管理サーバ部１１２と、ボリュームサーバ部１１５と、サービスサーバ部１１８を備える。属性管理サーバ部１１２、ボリュームサーバ部１１５、サービスサーバ部１１８は、本実施例のように１つのパーソナルコンピュータで構成されてもかまわないし、ネットワーク１４０で接続される別々のパーソナルコンピュータで構成されてもかまわない。
【００２０】
ネットワークＩ／Ｆ１１１は、ネットワーク１４０に接続し、ＴＣＰ／ＩＰなどのネットワークプロトコルの処理を行う。
【００２１】
属性管理サーバ部１１２は、ジョブのログ情報とコンテンツデータとを階層化されたフォルダに格納されている文書として管理できるように、フォルダ、文書、ページの包含関係とこれらの属性などを管理する。属性管理サーバ部１１２は、属性管理サーバ処理部１１３と、属性記憶部１１４を備える。
【００２２】
属性管理サーバ処理部１１３は、ＣＰＵやメモリ等を備える。属性管理サーバ処理部１１３は、クライアント処理部１０２、或いはサービスサーバ部１１８からネットワークＩ／Ｆ１１１を介して要求コマンドを受信する。次いで、属性管理サーバ処理部１１３は、属性記憶部１１４に対して更新や検索などの処理を行い、その処理結果をクライアント処理部１０２、或いはサービスサーバ部１１８に送信する。
【００２３】
属性記憶部１１４は、フォルダ属性、文書属性、ログ情報、ページ属性等を記憶するもので、通常、ハードディスク等である。
【００２４】
ボリュームサーバ部１１５は、属性管理サーバ部１１２でページに対応付けられているコンテンツデータを蓄積し、管理するためのサーバ部で、ボリュームサーバ処理部１１６と、ボリューム記憶部１１７を備える。
【００２５】
ボリュームサーバ処理部１１６は、ＣＰＵやメモリ等を備える。ボリュームサーバ処理部１１６は、クライアント処理部１０２、或いはサービスサーバ部１１８からネットワークＩ／Ｆ１１１を介して要求コマンドを受信する。ボリュームサーバ処理部２２６は、その要求コマンドを受信すると、ボリューム記憶部１１７に対して更新やデータ取得などの処理を行い、その処理結果をクライアント処理部１０２、或いはサービスサーバ部１１８に送信する。
【００２６】
ボリューム記憶部１１７は、コンテンツデータを記憶するもので、通常、ハードディスクなどである。
【００２７】
サービスサーバ部１１８は、ＣＰＵやメモリ等を備える。サービスサーバ部１１８は、デジタル複合機１３０からネットワークＩ／Ｆ１１１を介して要求コマンドを受信し、デジタル複合機１３０から要求された各処理を行う。サービスサーバ部１１８は、ジョブのログ情報とコンテンツデータの登録など、属性管理サーバ部１１２、或いはボリュームサーバ部１１５に対する処理が発生した場合には、ネットワークＩ／Ｆ１１１を介してこれらに各種要求コマンドを送信する。次いで、サービスサーバ部１１８は、その要求に対する処理結果を受信し、該処理結果をデジタル複合機１３０に送信する。
【００２８】
デジタル複合機１３０は、コピー、スキャナ、プリンタ、ＦＡＸなどの複合機能をもつ画像形成装置である。デジタル複合機１３０は、画像入力デバイスであるスキャナ部１３１、画像出力デバイスであるプリンタ部１３２、コントローラユニット１３３、ユーザインターフェースである操作部１３４を備える。
【００２９】
スキャナ部１３１、プリンタ部１３２、操作部１３４は、それぞれコントローラユニット１３３に接続され、コントローラユニット１３３は、ネットワーク（ＬＡＮ）１４０、公衆回線（ＷＡＮ）１５０に接続されている。
【００３０】
コントローラユニット１３３は、操作部１３４からの入力情報に基づきコピー・ジョブ、プリント・ジョブなどの処理を行い、機器の状態やジョブの状態などの情報を操作部１３４に提供するとともに、生成されたジョブの画像データとログ情報を記憶する。また、文書管理サーバ１１０に対する処理が発生した場合は、サービスサーバ部１１８に要求コマンドを送信するとともに、その応答を受信し、文書管理サーバ１１０から取得した情報を操作部１３４に提供する。
【００３１】
図２は、図１に示した文書管理クライアントと文書管理サーバの機能構成を示すブロック図であり、図１と同じものには同一の符号を付してある。
【００３２】
文書管理クライアント１００のクライアント処理部１０２は、クライアントアプリケーション部２００、画像処理部２０１、キャビネット文書管理部２０２、データベース通信部２０３、ボリューム通信部２０４を備える。
【００３３】
クライアントアプリケーション部２００は、ユーザインターフェース（ＵＩ）部１０１からの指示に従い、文書管理クライアント１００の各機能の処理を行うとともに、ユーザインターフェース（ＵＩ）部１０１の表示画面の制御を行う。また、属性管理サーバ部１１２、ボリュームサーバ部１１５に対する処理が発生した場合は、その要求をキャビネット文書管理部２０２に供給し、その処理結果をキャビネット文書管理部２０２から受け取る。
【００３４】
画像処理部２０１は、クライアントアプリケーション部２００、キャビネット文書管理部２０２からの要求に従い、画像データの伸長、圧縮、色空間変換、下地とばし、拡大／縮小、回転などの画像処理を行う。
【００３５】
キャビネット文書管理部２０２は、属性管理サーバ部１１２とボリュームサーバ部１１５に対する要求を、キャビネット、フォルダ、文書、ページからなるオブジェクト・モデルで行えるようにする。キャビネット文書管理部２０２は、フォルダ属性、文書属性、ページ属性に対する参照、更新などの処理が発生した場合には、その要求をデータベース通信部２０３に供給し、その処理結果をデータベース通信部２０３から受け取る。さらに、キャビネット文書管理部２０２は、コンテンツデータに対する登録、削除、取得などの処理が発生した場合には、その要求をボリューム通信部２０４に供給し、その処理結果をボリューム通信部２０４から受け取る。
【００３６】
データベース通信部２０３は、属性管理サーバ１１２に対する要求コマンドをネットワークＩ／Ｆ１０３を介してデータベース通信部２０５に送信し、その応答コマンドをデータベース通信部２０５から受信する。この送受信は、ＴＣＰ／ＩＰプロトコル上に定義されるＳＱＬ（Ｓｔｒｕｃｔｕｒｅｄ  Ｑｕｅｒｙ  Ｌａｎｇｕａｇｅ）プロトコルにより行われる。ボリューム通信部２０４は、ボリュームサーバ部１１５に対する要求コマンドをネットワークＩ／Ｆ１０３を介してボリューム通信部２０７に送信し、その応答コマンドをボリューム通信部２０７から受信する。この送受信は、ＲＰＣ（Ｒｅｍｏｔｅ  Ｐｒｏｃｅｄｕｒｅ  Ｃａｌｌ）により行われる。
【００３７】
次に、文書管理サーバ１１０の属性管理サーバ処理部１１３は、データベース通信部２０５、データベース処理部２０６を備える。
【００３８】
データベース通信部２０５は、ＴＣＰ／ＩＰプロトコル上に定義されるＳＱＬプロトコルにより、属性管理サーバ部１１２に対する要求コマンドをデータベース通信部２０３、或いはデータベース通信部２１０からネットワークＩ／Ｆ１１１を介して受信する。
【００３９】
データベース通信部２０５は、この要求コマンドを受信すると、その要求をデータベース処理部２０６に供給し、その処理結果を応答コマンドとしてデータベース通信部２０３、或いはデータベース通信部２１０に送信する。
【００４０】
データベース処理部２０６は、フォルダ、文書、ページの包含関係とこれらの属性を管理するためのＲＤＢＭＳで、データベースファイルである属性記憶部１１４に対して更新や検索などの処理を行う。
【００４１】
図３は、データベース処理部２０６が、フォルダ、文書、ページの包含関係とこれらの属性を管理するための、属性記憶部１１４におけるテーブル定義例である。
【００４２】
フォルダ管理テーブル３００は、フォルダを識別するためのフォルダＩＤと、親のフォルダを識別するための親フォルダＩＤと、フォルダ名と、作成日時とを含む。
【００４３】
文書管理テーブル３０１は、文書を識別するための文書ＩＤと、親のフォルダを識別するための親フォルダＩＤと、文書名と、サイズと、ページ数と、作成日時と、対応付けられたログを識別するためのログＩＤとを含む。
【００４４】
ログ情報管理テーブル３０２は、ログを識別するためのログＩＤと、デバイス情報としてのデバイス名、プロダクト名、ＩＰアドレス、コメントとを含む。さらに、ログ情報管理テーブル３０２は、ユーザ情報としての部門ＩＤ、ユーザ名、ＩＰアドレス、ＭＡＣアドレスを含む。さらに、ログ情報管理テーブル３０２は、ジョブ情報としてのジョブ種、ジョブ名、ページ数、部数、開始日時、終了日時、ジョブの結果と、対応付けられた文書を識別するための文書ＩＤとを含む。
【００４５】
ページ管理テーブル３０３は、ページを識別するためのページＩＤと、親の文書を識別するための親文書ＩＤと、ページ番号と、ページデータのファイル・フォーマットを識別するためのフォーマットとを含む。さらに、ページ管理テーブル３０３は、画像データの場合の用紙サイズを識別するための用紙サイズと、ファイルサイズと、ページを検索するためのインデックス１、インデックス２、インデックス３とを含む。さらに、ページ管理テーブル３０３は、ボリュームサーバ部１１５で管理される画像データを識別するためのボリュームＩＤを含む。
【００４６】
文書管理サーバ１１０のボリュームサーバ処理部１１６は、ボリューム通信部２０７、ボリューム処理部２０８を備える。
【００４７】
ボリューム通信部２０７は、ＲＰＣにより、ボリュームサーバ部１１５に対する要求コマンドをボリューム通信部２０４、或いはボリューム通信部２１１からネットワークＩ／Ｆ１１１を介して受信することができる。ボリューム通信部２０７は、その要求コマンドを受信した場合、その要求をボリューム処理部２０８に供給し、その処理結果を応答コマンドとしてボリューム通信部２０４、或いはボリューム通信部２１１に送信する。
【００４８】
ボリューム処理部２０８は、ボリュームファイルであるボリューム記憶部１１７に対して更新やデータ取得などの処理を行う。
【００４９】
図４は、ボリューム処理部２０８が、コンテンツデータを追加、取得するための、ボリューム記憶部１１７におけるデータ構成例である。ボリューム管理ファイル４００は、データを識別するためのボリュームＩＤと、データが記憶されているボリューム記憶ファイルを識別するためのファイル名と、データの記憶開始位置であるオフセットと、データのサイズとを含む。ボリューム記憶ファイル４０１には、コンテンツデータである画像データ、或はテキストデータが連続して記憶される。
【００５０】
文書管理サーバ１１０のサービスサーバ部１１８は、サービス通信部２０９、データベース通信部２１０、ボリューム通信部２１１、キャビネット文書管理部２１２、画像処理部２１３、サービスプロバイダ部２１４を備える。
【００５１】
サービス通信部２０９は、ＨＴＴＰプロトコル上のＳＯＡＰプロトコルにより、文書管理サーバ１１０に対する要求コマンドをデジタル複合機１３０からネットワークＩ／Ｆ１１１を介して受信することができる。サービス通信部２０９は、その要求コマンドを受信した場合、その要求をサービスプロバイダ部２１４に供給し、その処理結果を応答コマンドとしてデジタル複合機１３０に送信する。
【００５２】
サービスプロバイダ部２１４は、サービス通信部２０９からの要求に従って処理を行い、その処理結果を返す。また、文書情報の登録、属性の更新、検索など、属性管理サーバ部１１２、ボリュームサーバ部１１５に対する処理が発生した場合は、その要求をキャビネット文書管理部２１２に供給し、その処理結果をキャビネット文書管理部２１２から受け取る。サービスプロバイダ部２１４は、デジタル複合機１３０からジョブのコンテンツデータとログ情報を受信することができる。サービスプロバイダ部２１４は、それらの情報を受信した場合には、サービス通信部２０９からコンテンツデータとログ情報を受け取り、ハードディスクドライブに一時保存する。次いで、サービスプロバイダ部２１４は、コンテンツデータとログ情報を文書登録する要求をキャビネット文書管理部２１２に供給し、その処理結果を受け取る。サービスプロバイダ部２１４がコンテンツデータの解像度変換処理、或はデータ変換処理を実施する場合は、サービスプロバイダ部２１４は、ハードディスクドライブからコンテンツデータを読み込む。そして、サービスプロバイダ部２１４は、画像データであるコンテンツデータに対して解像度変換処理、或はデータ変換処理を行う。次に、サービスプロバイダ部２１４は、コンテンツデータとログ情報を文書登録する要求をキャビネット文書管理部２１２に供給し、その処理結果を受け取る。画像処理部２１３は、サービスプロバイダ部２１４、キャビネット文書管理部２１２からの要求に従い、画像データの伸長、圧縮、色空間変換、下地とばし、解像度変換、回転、領域分割、文字認識などの画像処理を行う。データベース通信部２１０、ボリューム通信部２１１、キャビネット文書管理部２１２の各機能構成部については、前述した文書管理クライアントにおける該機能構成部と同様であるので、説明を省略する。
【００５３】
図５は、図１に示したデジタル複合機の構成を示すブロック図であり、図１と同じものには同一の符号を付してある。
【００５４】
コントローラユニット１３３は、画像入力デバイスであるスキャナ部１３１や画像出力デバイスであるプリンタ部１３２と接続するためのコントローラである。また、コントロールユニット１３３は、ネットワーク（ＬＡＮ）１４０や公衆回線（ＷＡＮ）１５０と接続することで、画像情報やデバイス情報の入出力を行う為のコントローラである。
【００５５】
コントローラユニット１３３において、５００はＣＰＵで、システム全体を制御するコントローラである。５０１はＲＡＭで、ＣＰＵ５００が動作するためのシステムワークメモリであり、入力された画像データを一時記憶するための画像メモリ（バッファメモリ）でもある。５０２はＲＯＭで、ブートＲＯＭであり、システムのブートプログラムが格納されている。５０３はハードディスクドライブ（ＨＤＤ）で、システムソフトウェア、ジョブのコンテンツデータ、ログ情報などを格納する。
【００５６】
５０４は操作部Ｉ／Ｆで、操作部１３４とのインターフェース部であり、操作部１３４に表示する画面データを操作部１３４に対して出力する。また、操作部Ｉ／Ｆ５０４は、操作部１３４からオペレータが入力した情報を、ＣＰＵ５００に伝える役割をする。
【００５７】
５０５はネットワーク部（Ｎｅｔｗｏｒｋ）で、ネットワーク（ＬＡＮ）１４０に接続し、情報の入出力を行う。５０６はモデム（ＭＯＤＥＭ）で、公衆回線（ＷＡＮ）１５０に接続し、画像情報の入出力を行う。以上のデバイスがシステムバス５０７上に配置される。
【００５８】
５０８はイメージバス（Ｉｍａｇｅ    Ｂｕｓ）Ｉ／Ｆで、システムバス５０７と画像データを高速で転送する画像バス５０９を接続し、データ構造を変換するバスブリッジである。画像バス５０９は、ＰＣＩバスまたはＩＥＥＥ１３９４で構成される。画像バス５０９上には以下のデバイスが配置される。
【００５９】
５１０はラスタイメージプロセッサ（ＲＩＰ）で、ＰＤＬコードをビットマップイメージに展開する。５１１はデバイスＩ／Ｆ部で、画像入出力デバイスであるスキャナ部１３１，プリンタ部１３２とコントローラ１３３を画像入力部インターフェース５１２，印刷部インターフェース５１３を介して接続し、画像データの同期系／非同期系の変換を行う。
【００６０】
５１４はスキャナ画像処理部で、入力画像データに対し補正，加工，編集を行う。また、スキャナ画像処理部５１４は、入力された画像データがカラー原稿か白黒原稿かを画像データの彩度信号から判断しその結果を保持する機能を有する。５１５はプリンタ画像処理部で、出力画像データに対し補正，加工，編集を行う。
【００６１】
５１６は画像回転部である。画像回転部５１６は、スキャナ画像処理部５１４と連携して、スキャナ部１３１からの画像を読み込む。さらに、画像回転部５１６は、画像データを回転しメモリ上に格納したり、メモリ上にある画像データを回転してメモリ上に格納したり、メモリ上にある画像データをプリンタ画像処理部５１５と連携して回転しながら印字出力したりする。
【００６２】
５１７は画像圧縮部で、多値画像データはＪＰＥＧ、２値画像データはＪＢＩＧ、ＭＭＲ、ＭＲ、ＭＨの圧縮伸長処理を行う。
【００６３】
５１８は解像度変換部で、メモリ上にある画像データを解像度変換処理し、メモリ上に格納する。
【００６４】
５１９は色空間変換部で、マトリクス演算により、たとえばメモリ上にあるＹＵＶ画像データをＬａｂ画像データに変換し、メモリ上に格納する。
【００６５】
５２０は階調変換部で、例えばメモリ上にある８ｂｉｔ、２５６階調の画像データを誤差拡散処理などの手法により１ｂｉｔ、２階調に変換し、メモリ上に格納する。画像回転部５１６、画像圧縮部５１７、解像度変換部５１８、色空間変換部５１９、階調変換部５２０は、それぞれ連結して動作することが可能である。例えばメモリ上の画像データを画像回転、解像度変換する場合は、両処理を、メモリを介することなしに行うことができる。５２１は地紋処理部で、画像データへの地紋付加、画像データに付加されている地紋の判別などを行う。
【００６６】
図６に操作部１３４の構成を示す。
【００６７】
ＬＣＤ表示部６００は、ＬＣＤ上にタッチパネルシート６０１が貼られており、システムの操作画面およびソフトキーを表示するとともに、表示してあるキーが押されるとその位置情報をコントローラユニット１３３内のＣＰＵ５００に伝える。
【００６８】
スタートキー６０２は原稿画像の読み取り動作を開始する時などに用いる。スタートキー６０２中央部には、緑と赤の２色ＬＥＤ６０３があり、その色によってスタートキー６０２が使える状態にあるかどうかを示す。
【００６９】
ストップキー６０４は稼働中の動作を止める働きをする。ＩＤキー６０５は、使用者のユーザＩＤを入力する時に用いる。リセットキー６０６は操作部からの設定を初期化する時に用いる。
【００７０】
図７は、図１に示したデジタル複合機のコントローラユニットにおける、システムソフトウェアの機能構成を示すブロック図である。
【００７１】
ユーザインターフェース（ＵＩ）部７００は、オペレータからの入力情報をアプリケーション部７０１に供給するとともに、その処理結果をアプリケーション部７０１から受け取り、操作部１３４に表示する画面を生成する。
【００７２】
アプリケーション部７０１は、ユーザインターフェース（ＵＩ）部７００からの要求に従って処理を行う。例えば、アプリケーション部７０１は、コピーが要求された場合には、ジョブコントロールドメイン部７０２に指定されたコピー設定とともにコピー・ジョブを投入する。次いで、アプリケーション部７０１は、機器の状態やジョブの状態などの情報をジョブコントロールドメイン部７０２から受け取る。また、文書管理サーバ１１０にジョブのコンテンツデータとログ情報を送信する場合には、アプリケーション部７０１は、ジョブコントロールドメイン部７０２からジョブの画像データとログ情報を受け取る。次いで、アプリケーション部７０１は、ジョブのコンテンツデータとログ情報を送信する要求をサービス通信部７０３に供給し、その処理結果を受け取る。デジタル複合機がコンテンツデータの解像度変換処理、或はデータ変換処理を実施する場合は、アプリケーション部７０１は、ジョブコントロールドメイン部７０２からジョブの画像データとログ情報を受け取る。次に、アプリケーション部７０１は、ジョブの画像データに対して解像度変換処理、或はデータ変換処理を行う。次に、アプリケーション部７０１は、コンテンツデータとログ情報を送信する要求をサービス通信部７０３に供給し、その処理結果を受け取る。
【００７３】
ジョブコントロールドメイン部７０２は、スキャン・ジョブ、コピー・ジョブ、プリント・ジョブ、ＦＡＸジョブなどの、複数のジョブの処理を司るものである。例えば、ジョブコントロールドメイン部７０２は、コピー・ジョブが投入された場合には、指定されたコピー設定に基づきスキャナ部１３１、及びプリンタ部１３２を動作させ、原稿を読み込み、該画像データを印刷する。次いで、ジョブコントロールドメイン部７０２は、デバイス情報、ユーザ情報、ジョブ情報などから構成される該ジョブのログ情報と、該ジョブの画像データとを関連付けてハードディスクドライブに保存する。ジョブの画像データの解像度は、例えば、コピー・ジョブであれば６００＊６００ｄｐｉであり、プリント・ジョブであれば１２００＊１２００ｄｐｉである。また、アプリケーション部７０１からの要求に従い、ハードディスクドライブに保存されているログ情報と画像データをアプリケーション部７０１に供給する。サービス通信部７０３は、ＨＴＴＰプロトコル上のＳＯＡＰプロトコルにより、文書管理サーバ１１０に対する要求コマンドをネットワークＩ／Ｆ７０４を介して文書管理サーバ１１０内のサービス通信部２０９に送信し、その応答を受信する。ネットワークＩ／Ｆ７０４は、ネットワーク１４０に接続し、ＴＣＰ／ＩＰなどのネットワークプロトコルの処理を行う。
【００７４】
図８は、保存されているログ情報のＸＭＬスキーマの例である。
【００７５】
本例では、ログ情報を表すルートのｌｏｇＩｎｆｏｒｍａｔｉｏｎ要素は、ｄｅｖｉｃｅＩｎｆｏｒｍａｔｉｏｎ要素と、ｕｓｅｒＩｎｆｏｒｍａｔｉｏｎ要素と、ｊｏｂＩｎｆｏｒｍａｔｉｏｎ要素を含む。ｄｅｖｉｃｅＩｎｆｏｒｍａｔｉｏｎ要素は、デバイス名、ＩＰアドレス等のデバイス情報を表す。ｕｓｅｒＩｎｆｏｒｍａｔｉｏｎ要素は、部門ＩＤ、ユーザ名等などのユーザ情報を表す。ｊｏｂＩｎｆｏｒｍａｔｉｏｎ要素は、ジョブ種、ジョブ名、開始日時等のジョブ情報を表す。
【００７６】
次に、デジタル複合機におけるジョブのログ情報とコンテンツデータに係る処理フローについて、図９のフロー図に従い説明する。
【００７７】
まず、コピー・ジョブ、プリント・ジョブなどのジョブ処理を開始することにより処理を開始し（ステップＳ９００）、ジョブ処理と並行して、ジョブのログ情報とコンテンツデータを生成し、ハードディスクドライブに保存する（ステップＳ９０１）。ここで生成、保存するジョブのコンテンツデータは、ジョブの画像データであり、ＪＢＩＧなどの圧縮方式で圧縮している。コンテンツデータの変換処理をデジタル複合機で実施する場合は、次に、画像データであるコンテンツデータを、所定の解像度の画像データに変換する。或は文字認識を行いテキストデータに変換し、変換後のコンテンツデータをハードディスクドライブに保存し、元のコンテンツデータをハードディスクドライブから削除する（ステップＳ９０２）。コンテンツデータの変換処理をデジタル複合機ではなく、文書管理サーバで実施する場合は、ステップＳ９０２は行わない。次に、ログ情報とコンテンツデータを文書管理サーバに送信し（ステップＳ９０３）、ログ情報とコンテンツデータをハードディスクドライブから削除し（ステップＳ９０４）、処理を終了する（ステップＳ９０５）。
【００７８】
次に、文書管理サーバにおけるジョブのログ情報とコンテンツデータに係る処理フローについて、図１０のフロー図に従い説明する。
【００７９】
まず、デジタル複合機からデータ転送予約を受信することにより処理を開始し（ステップＳ１０００）、デジタル複合機からジョブのログ情報とコンテンツデータを受信し、ハードディスクドライブに一時保存する（ステップＳ１００１）。コンテンツデータの変換処理を文書管理サーバで実施する場合は、画像データであるコンテンツデータを、所定の解像度の画像データに変換する。或は文字認識を行いテキストデータに変換し、変換後のコンテンツデータをハードディスクドライブに保存し、元のコンテンツデータをハードディスクドライブから削除する（ステップＳ１００２）。コンテンツデータの変換処理を文書管理サーバではなく、デジタル複合機で実施する場合は、ステップＳ１００２は行わない。次に、ログ情報とコンテンツデータを、属性管理サーバ部とボリュームサーバ部に登録する（ステップＳ１００３）。次いで、一時保存していたログ情報とコンテンツデータをハードディスクドライブから削除し（ステップＳ１００４）、処理を終了する（ステップＳ１００５）。
【００８０】
次に、デジタル複合機と文書管理サーバ間のデータ転送処理の動作について、図１１のシーケンス図に従い説明する。
【００８１】
デジタル複合機は、ジョブの処理が終了する、或は、タイマーが予め設定された送信時間になることにより転送処理を開始し、まず、文書管理サーバに対してデータ転送予約を行う（ステップＳ１１００）。文書管理サーバは、接続数を確認し、受付可能であればデータ転送許可をデジタル複合機に返信する（ステップＳ１１０１）。次に、デジタル複合機は、ハードディスクドライブに保存されているジョブのログ情報を読み込み（ステップＳ１１０２）、該ログ情報を文書管理サーバに送信する（ステップＳ１１０３）。文書管理サーバは、受信したログ情報をハードディスクドライブに一時保存する（ステップＳ１１０４）。次に、デジタル複合機は、ハードディスクドライブに保存されているジョブの１ページ分のコンテンツデータを読み込み（ステップＳ１１０５）、該コンテンツデータを文書管理サーバに送信する（ステップＳ１１０６）。文書管理サーバは、受信したコンテンツデータをハードディスクドライブに一時保存する（ステップＳ１１０７）。全てのページに対してステップＳ１１０５からステップＳ１１０７を繰り返し行った後、デジタル複合機は、文書登録要求を文書管理サーバに送信する（ステップＳ１１０８）。文書管理サーバは、別プロセスによる文書登録処理を開始し（ステップＳ１１０９）、直ちに文書登録受付をデジタル複合機に返信する（ステップＳ１１１０）。デジタル複合機は、文書登録処理が完了したか否かを文書管理サーバに定期的に問い合わせる（ステップＳ１１１１）。文書登録処理が完了した後、デジタル複合機は、データ転送予約解除を文書管理サーバに送信し（ステップＳ１１１２）、転送が完了したログ情報とコンテンツデータをハードディスクドライブから削除する（ステップＳ１１１３）。全てのジョブのログ情報とコンテンツデータの転送が完了するか、転送終了時刻になるまで、ステップＳ１１００からステップＳ１１１３を繰り返し行う。
【００８２】
次に、デジタル複合機におけるコンテンツデータの解像度変換処理の動作について、図１２のフローチャートに従い説明する。
【００８３】
まず、ジョブの処理が終了することにより処理を開始し、ハードディスクドライブに保存されているジョブの１ページ分の画像データをメモリ上に読み込む（ステップＳ１２００）。次に、ＪＢＩＧなど、画像データの圧縮方式に従った伸張処理を行う（ステップＳ１２０１）。次に、画像データに対して、地紋データを含むかどうかを判断する（ステップＳ１２０２）。ステップＳ１２０２において地紋データが含まれていると判断された場合には図１３左に示すような繰り返しパターンを判別し、その中から１パターンを抽出（図１３右）する。次にステップＳ１２０４へ進み、地紋データを含まないと判断された場合には次のステップＳ１２０８へ進む。ステップＳ１２０４では、地紋データに対して解像度変換を行うかどうかを判断する。解像度変換を行っても地紋の機能が維持されると判断した場合には次のステップＳ１２０５へ進み、解像度変換によって地紋の機能が損なわれると判断した場合には次のステップＳ１２０６へ進む。ステップＳ１２０５においては地紋データの解像度変換を実行する。ここで、地紋データの解像度変換は、地紋データ以外の画像データとは異なる解像度に変換することを含む。ステップ１２０６では地紋データをＪＰＥＧなどの圧縮方式で圧縮可能かどうかを判断する。圧縮を行っても地紋の機能が維持されると判断した場合には次のステップＳ１２０７にて地紋データの圧縮を行い、圧縮によって地紋の機能が損なわれると判断した場合には次のステップＳ１２０８へ進む。
【００８４】
続いて、地紋データを除く画像データを最適解像度に変換する（ステップＳ１２０８）。次に、再びＪＢＩＧなどの圧縮方式で画像データを圧縮する（ステップＳ１２０９）。次に、変換後の画像データをハードディスクドライブに保存するとともに、地紋データと画像データの関連付けを行う（ステップＳ１２１０）。次に、元の画像データをハードディスクドライブから削除する（ステップＳ１２１１）。次に、ステップＳ１２０１で読み込んだページが最終ページか否かを判別し（ステップＳ１２１２）、最終ページに至るまでステップＳ１２０１からステップＳ１２０９を繰り返し行い、処理を終了する。
【００８５】
上記コンテンツデータのデータ変換処理は、文書管理サーバで行ってもかまわない。その場合は、デジタル複合機から文書登録要求を受信することにより処理を開始し、それ以降の動作は上記動作と同様であり、詳細な説明は省略する。
【００８６】
前述した実施の形態の機能を実現するコンピュータ・プログラムを記録した記録媒体を画像処理装置に供給し、その画像処理装置のコンピュータがコンピュータ・プログラムを記録媒体から読み取り実行することによっても、本発明の目的が達成される。この場合、記録媒体から読み取られたコンピュータ・プログラム自体が本発明の新規な機能を実現することになり、そのコンピュータ・プログラムを記録した記録媒体は本発明を構成することになる。コンピュータ・プログラムを記録した記録媒体としては、例えば、ＣＤ−ＲＯＭ、フロッピーディスク、ハードディスク、ＲＯＭ、メモリカード、光ディスク等を用いることができる。
【００８７】
また、画像処理装置が、インターネット等のネットワークを介してダウンロードされたコンピュータ・プログラムを実行することによっても、本発明の目的が達成される。この場合、当該コンピュータ・プログラムは本発明を構成することになる。
【図面の簡単な説明】
【００８８】
【図１】本発明の実施例におけるネットワーク文書管理システムの全体構成を示すブロック図である。
【図２】本システムの文書管理クライアントと文書管理サーバの機能構成を示すブロック図である。
【図３】文書管理サーバの属性記憶部におけるテーブル定義例を示す図である。
【図４】文書管理サーバのボリューム記憶部におけるデータ構成例を示す図である。
【図５】本システムのデジタル複合機の構成を示すブロック図である。
【図６】デジタル複合機の操作部の構成を示す図である。
【図７】デジタル複合機のシステムソフトウェアの機能構成を示すブロック図である。
【図８】本システムのデジタル複合機における、ログ情報のＸＭＬスキーマの例である。
【図９】本システムのデジタル複合機における、ジョブのログ情報とコンテンツデータに係る処理フローを説明するフロー図である。
【図１０】本システムの文書管理サーバにおける、ジョブのログ情報とコンテンツデータに係る処理フローを説明するフロー図である。
【図１１】本システムのデジタル複合機と文書管理サーバ間のデータ転送処理の動作を説明するシーケンス図である。
【図１２】本システムのデジタル複合機における、コンテンツデータおよび地紋データの解像度変換処理の動作を説明するフローチャートである。
【図１３】地紋データの繰り返しパターンを示す図である。
【図１４】従来技術のネットワーク文書管理システムの全体構成を示すブロック図である。
【符号の説明】
【００８９】
１００  文書管理クライアント
１０１  ユーザインターフェース（ＵＩ）部
１０２  クライアント処理部
１０３  ネットワークＩ／Ｆ
１１０  文書管理サーバ
１１１  ネットワークＩ／Ｆ
１１２  属性管理サーバ部
１１３  属性管理サーバ処理部
１１４  属性記憶部
１１５  ボリュームサーバ部
１１６  ボリュームサーバ処理部
１１７  ボリューム記憶部
１１８  サービスサーバ部
１３０  デジタル複合機
１３１  スキャナ部
１３２  プリンタ部
１３３  コントローラユニット
１３４  操作部
１４０  ネットワーク
１５０  公衆回線（ＷＡＮ）
【図１】
2008042403.tif 000003
【図２】
2008042403.tif 000004
【図３】
2008042403.tif 000005
【図４】
2008042403.tif 000006
【図５】
2008042403.tif 000007
【図６】
2008042403.tif 000008
【図７】
2008042403.tif 000009
【図８】
2008042403.tif 000010
【図９】
2008042403.tif 000011
【図１０】
2008042403.tif 000012
【図１１】
2008042403.tif 000013
【図１２】
2008042403.tif 000014
【図１３】
2008042403.tif 000015
【図１４】
2008042403.tif 000016